(57)【特許請求の範囲】
【請求項１】
地面を掘削して凹溝を形成し、続いて、この凹溝の底部に第１番目の浸透部材を配設し、続いて、側面に土留め板を有する第１番目の枠体を前記第１番目の浸透部材が該第１番目の枠体内に位置するように配設し、続いて、浸透シートを前記土留め板の内面及び外面のいずれか一方にずり動不能状態で配設し、続いて、前記土留め板の内側に砂、砕石等の適宜な通水粒体を配設するとともに外側を適宜埋め戻した後、前記第１番目の枠体を前記浸透シートを残して引き上げ、続いて、側面に土留め板を有する第２番目の枠体を前記第１番目の浸透部材に連設される第２番目の浸透部材が該第２番目の枠体内に位置するように配設し、続いて、浸透シートを前記土留め板の内面及び外面のいずれか一方にずり動不能状態で配設し、続いて、前記土留め板の内側に砂、砕石等の適宜な通水粒体を配設するとともに外側を適宜埋め戻した後、前記第２番目の枠体を前記浸透シートを残して引き上げて前記第１番目の浸透部材及び前記第２番目の浸透部材を埋設することを特徴とする浸透部材の埋設方法。
【請求項２】
地面を掘削して凹溝を形成し、続いて、この凹溝の底部に第１番目の浸透部材を配設し、続いて、側面に土留め板を有する第１番目の枠体を前記第１番目の浸透部材が該第１番目の枠体内に位置するように配設し、続いて、浸透シートを前記土留め板の内面及び外面のいずれか一方にずり動不能状態で配設し、続いて、前記土留め板の内側に砂、砕石等の適宜な通水粒体を配設するとともに外側を適宜埋め戻した後、前記第１番目の枠体を前記浸透シートを残して引き上げ、続いて、側面に土留め板を有する第２番目の枠体を前記第１番目の浸透部材に連設される第２番目の浸透部材が該第２番目の枠体内に位置するように配設し、続いて、浸透シートを前記土留め板の内面及び外面のいずれか一方にずり動不能状態で配設し、続いて、前記土留め板の内側に砂、砕石等の適宜な通水粒体を配設するとともに外側を適宜埋め戻した後、前記第２番目の枠体を前記浸透シートを残して引き上げ、・・・、続いて、側面に土留め板を有する第ｎ番目の枠体を第ｎ−１番目の浸透部材に連設される第ｎ番目の浸透部材が該第ｎ番目の枠体内に位置するように配設し、続いて、浸透シートを前記土留め板の内面及び外面のいずれか一方にずり動不能状態で配設し、続いて、前記土留め板の内側に砂、砕石等の適宜な通水粒体を配設するとともに外側を適宜埋め戻した後、前記第ｎ番目の枠体を前記浸透シートを残して引き上げて前記第１番目の浸透部材，前記第２番目の浸透部材，・・・，前記第ｎ−１番目の浸透部材及び前記第ｎ番目の浸透部材を埋設することを特徴とする浸透部材の埋設方法。
【請求項３】
地面１を掘削して凹溝を形成し、続いて、この凹溝の底部に第１番目の浸透部材を配設し、続いて、側面に土留め板を有する第１番目の枠体を前記第１番目の浸透部材が該第１番目の枠体内に位置するように配設し、続いて、浸透シートを前記土留め板の上部に掛け渡して該土留め板の内面及び外面のいずれか一方にずり動不能状態で配設し、続いて、前記土留め板の内側に砂、砕石等の適宜な通水粒体を配設するとともに外側を適宜埋め戻した後、前記第１番目の枠体を前記浸透シートを残して引き上げ、続いて、側面に土留め板を有する第２番目の枠体を前記第１番目の浸透部材に連設される第２番目の浸透部材が該第２番目の枠体内に位置するように配設し、続いて、浸透シートを前記土留め板の上部に掛け渡して該土留め板の内面及び外面のいずれか一方にずり動不能状態で配設し、続いて、前記土留め板の内側に砂、砕石等の適宜な通水粒体を配設するとともに外側を適宜埋め戻した後、前記第２番目の枠体を前記浸透シートを残して引き上げて前記第１番目の浸透部材及び前記第２番目の浸透部材を埋設することを特徴とする浸透部材の埋設方法。
【請求項４】
地面を掘削して凹溝を形成し、続いて、この凹溝の底部に第１番目の浸透部材を配設し、続いて、側面に土留め板を有する第１番目の枠体を前記第１番目の浸透部材が該第１番目の枠体内に位置するように配設し、続いて、浸透シートを前記土留め板の上部に掛け渡して該土留め板の内面及び外面のいずれか一方にずり動不能状態で配設し、続いて、前記土留め板の内側に砂、砕石等の適宜な通水粒体を配設するとともに外側を適宜埋め戻した後、前記第１番目の枠体を前記浸透シートを残して引き上げ、続いて、側面に土留め板を有する第２番目の枠体を前記第１番目の浸透部材に連設される第２番目の浸透部材が該第２番目の枠体内に位置するように配設し、続いて、浸透シートを前記土留め板の上部に掛け渡して該土留め板の内面及び外面のいずれか一方にずり動不能状態で配設し、続いて、前記土留め板の内側に砂、砕石等の適宜な通水粒体を配設するとともに外側を適宜埋め戻した後、前記第２番目の枠体を前記浸透シートを残して引き上げ、・・・、続いて、側面に土留め板を有する第ｎ番目の枠体を第ｎ−１番目の浸透部材に連設される第ｎ番目の浸透部材が該第ｎ番目の枠体内に位置するように配設し、続いて、浸透シートを前記土留め板の上部に掛け渡して該土留め板の内面及び外面のいずれか一方にずり動不能状態で配設し、続いて、前記土留め板の内側に砂、砕石等の適宜な通水粒体を配設するとともに外側を適宜埋め戻した後、前記第ｎ番目の枠体を前記浸透シートを残して引き上げて前記第１番目の浸透部材，前記第２番目の浸透部材，・・・，前記第ｎ−１番目の浸透部材及び前記第ｎ番目の浸透部材を埋設することを特徴とする浸透部材の埋設方法。
【請求項５】
地面を掘削して凹溝を形成し、続いて、この凹溝の底部に浸透シートを該浸透シートの上端部が前記凹溝の上方に位置する状態で配設し、続いて、この凹溝の底部にして前記浸透シート上に砂、砕石等の適宜な通水粒体を配設し、続いて、この通水粒体上に第１番目の浸透部材を配設し、続いて、側面に土留め板を有する第１番目の枠体を前記第１番目の浸透部材が該第１番目の枠体内に位置するように配設し、続いて、前記浸透シートの上端部を前記土留め板の上部に係止させることで該浸透シートを前記第１番目の枠体の外面にずり動不能状態で配設し、続いて、前記第１番目の枠体の内側に砂、砕石等の適宜な通水粒体を配設するとともに前記第１番目の枠体の外側を適宜埋め戻し、続いて、前記浸透シートを外方に開いて前記枠体を引き上げ、続いて、側面に土留め板を有する第２番目の枠体を前記第１番目の浸透部材に連設される第２番目の浸透部材が該第２番目の枠体内に位置するように配設し、続いて、前記浸透シートの上端部を前記土留め板の上部に係止させることで該浸透シートを前記第２番目の枠体の外面にずり動不能状態で配設し、続いて、前記第２番目の枠体の内側に砂、砕石等の適宜な通水粒体を配設するとともに前記第２番目の枠体の外側を適宜埋め戻し、続いて、前記浸透シートを外方に開いて前記第２番目の枠体を引き上げて前記第１番目の浸透部材及び前記第２番目の浸透部材を埋設することを特徴とする浸透部材の埋設方法。
【請求項６】
地面を掘削して凹溝を形成し、続いて、この凹溝の底部に浸透シートを該浸透シートの上端部が前記凹溝の上方に位置する状態で配設し、続いて、この凹溝の底部にして前記浸透シート上に砂、砕石等の適宜な通水粒体を配設し、続いて、この通水粒体上に第１番目の浸透部材を配設し、続いて、側面に土留め板を有する第１番目の枠体を前記第１番目の浸透部材が該第１番目の枠体内に位置するように配設し、続いて、前記浸透シートの上端部を前記土留め板の上部に係止させることで該浸透シートを前記第１番目の枠体の外面にずり動不能状態で配設し、続いて、前記第１番目の枠体の内側に砂、砕石等の適宜な通水粒体を配設するとともに前記第１番目の枠体の外側を適宜埋め戻し、続いて、前記浸透シートを外方に開いて前記枠体を引き上げ、続いて、側面に土留め板を有する第２番目の枠体を前記第１番目の浸透部材に連設される第２番目の浸透部材が該第２番目の枠体内に位置するように配設し、続いて、前記浸透シートの上端部を前記土留め板の上部に係止させることで該浸透シートを前記第２番目の枠体の外面にずり動不能状態で配設し、続いて、前記第２番目の枠体の内側に砂、砕石等の適宜な通水粒体を配設するとともに前記第２番目の枠体の外側を適宜埋め戻し、続いて、前記浸透シートを外方に開いて前記第２番目の枠体を引き上げて、・・・、続いて、側面に土留め板を有する第ｎ番目の枠体を第ｎ−１番目の浸透部材に連設される第ｎ番目の浸透部材が該第ｎ番目の枠体内に位置するように配設し、続いて、浸透シートの上端部を前記土留め板の上部に係止させることで該浸透シートを前記第ｎ番目の枠体の外面にずり動不能状態で配設し、続いて、前記第ｎ番目の枠体の内側に砂、砕石等の適宜な通水粒体を配設するとともに前記第ｎ番目の枠体の外側を適宜埋め戻し、続いて、前記浸透シートを外方に開いて前記第ｎ番目の枠体を引き上げて前記第１番目の浸透部材，前記第２番目の浸透部材，・・・，前記第ｎ−１番目の浸透部材及び前記第ｎ番目の浸透部材を埋設することを特徴とする浸透部材の埋設方法。
【発明の詳細な説明】
【０００１】
【発明の属する技術分野】
本発明は、浸透部材の埋設方法に関するものである。
【０００２】
【従来の技術及び発明が解決しようとする課題】
近年、益々道路整備や宅地開発が盛んに進められる中、これに伴う不浸透域の拡大が顕著に見られる。
【０００３】
この不浸透域とは、例えば都市部のように地表面がコンクリートやアスファルトにより覆われることで、雨水が直接河川などに流出してしまい地中へ十分に浸透しにくい地域のことであり、この不浸透域では、地下に雨水が戻りにくい為、地盤沈下が起き易く、また、多量な降雨があった場合にはやはり地下に雨水が浸透しにくい為、河川や下水道の流下能力を超え、洪水となるなどの種々の問題が生じている。
【０００４】
そこで、従来から、例えば下水道管やＵ字側溝などの排水路を設置して成る排水施設に、該施設内を通過する雨水を地下に浸透させる浸透機能を具備せしめたもの（以下、浸透施設という。）が提案されている。
【０００５】
この浸透施設は、地面を掘削して形成された凹溝に配設される浸透機能を備えた浸透管や浸透側溝などの浸透部材（多孔質構造の市販の浸透部材）を設けることで該浸透部材を通過する雨水の一部を地下へ浸透させるものである。尚、この浸透部材の周囲には通水機能を確保する為、砂や砕石などの通水粒体が配設され、更に、この通水粒体の外側には該通水粒体が継続使用により散逸しない為の浸透シートが配設されている。
【０００６】
ところが、この浸透施設は、特に浸透シートの配設が厄介とされ、具体的には、凹溝に配設した浸透シートが埋め戻し作業の際にずり落ちてしまう場合があるなどその取り扱いが厄介とされ、よって、通常の排水施設の施工期間に比し、その施工期間が非常に長くなってしまうという問題点がある。
【０００７】
本発明は、上述の問題点を解決する画期的な浸透部材の埋設方法を提供するものである。
【０００８】
【課題を解決するための手段】
添付図面を参照して本発明の要旨を説明する。
【０００９】
地面１を掘削して凹溝１ａを形成し、続いて、この凹溝１ａの底部に第１番目の浸透部材２を配設し、続いて、側面に土留め板３を有する第１番目の枠体４を前記第１番目の浸透部材２が該第１番目の枠体４内に位置するように配設し、続いて、浸透シート５を前記土留め板３の内面及び外面のいずれか一方にずり動不能状態で配設し、続いて、前記土留め板３の内側に砂、砕石等の適宜な通水粒体６を配設するとともに外側を適宜埋め戻した後、前記第１番目の枠体４を前記浸透シート５を残して引き上げ、続いて、側面に土留め板３を有する第２番目の枠体４を前記第１番目の浸透部材２に連設される第２番目の浸透部材２が該第２番目の枠体４内に位置するように配設し、続いて、浸透シート５を前記土留め板３の内面及び外面のいずれか一方にずり動不能状態で配設し、続いて、前記土留め板３の内側に砂、砕石等の適宜な通水粒体６を配設するとともに外側を適宜埋め戻した後、前記第２番目の枠体４を前記浸透シート５を残して引き上げて前記第１番目の浸透部材２及び前記第２番目の浸透部材２を埋設することを特徴とする浸透部材の埋設方法に係るものである。
【００１０】
また、地面１を掘削して凹溝１ａを形成し、続いて、この凹溝１ａの底部に第１番目の浸透部材２を配設し、続いて、側面に土留め板３を有する第１番目の枠体４を前記第１番目の浸透部材２が該第１番目の枠体４内に位置するように配設し、続いて、浸透シート５を前記土留め板３の内面及び外面のいずれか一方にずり動不能状態で配設し、続いて、前記土留め板３の内側に砂、砕石等の適宜な通水粒体６を配設するとともに外側を適宜埋め戻した後、前記第１番目の枠体４を前記浸透シート５を残して引き上げ、続いて、側面に土留め板３を有する第２番目の枠体４を前記第１番目の浸透部材２に連設される第２番目の浸透部材２が該第２番目の枠体４内に位置するように配設し、続いて、浸透シート５を前記土留め板３の内面及び外面のいずれか一方にずり動不能状態で配設し、続いて、前記土留め板３の内側に砂、砕石等の適宜な通水粒体６を配設するとともに外側を適宜埋め戻した後、前記第２番目の枠体４を前記浸透シート５を残して引き上げ、・・・、続いて、側面に土留め板３を有する第ｎ番目の枠体４を第ｎ−１番目の浸透部材２に連設される第ｎ番目の浸透部材２が該第ｎ番目の枠体４内に位置するように配設し、続いて、浸透シート５を前記土留め板３の内面及び外面のいずれか一方にずり動不能状態で配設し、続いて、前記土留め板３の内側に砂、砕石等の適宜な通水粒体６を配設するとともに外側を適宜埋め戻した後、前記第ｎ番目の枠体４を前記浸透シート５を残して引き上げて前記第１番目の浸透部材２，前記第２番目の浸透部材２，・・・，前記第ｎ−１番目の浸透部材２及び前記第ｎ番目の浸透部材２を埋設することを特徴とする浸透部材の埋設方法に係るものである。
【００１１】
また、地面１を掘削して凹溝１ａを形成し、続いて、この凹溝１ａの底部に第１番目の浸透部材２を配設し、続いて、側面に土留め板３を有する第１番目の枠体４を前記第１番目の浸透部材２が該第１番目の枠体４内に位置するように配設し、続いて、浸透シート５を前記土留め板３の上部に掛け渡して該土留め板３の内面及び外面のいずれか一方にずり動不能状態で配設し、続いて、前記土留め板３の内側に砂、砕石等の適宜な通水粒体６を配設するとともに外側を適宜埋め戻した後、前記第１番目の枠体４を前記浸透シート５を残して引き上げ、続いて、側面に土留め板３を有する第２番目の枠体４を前記第１番目の浸透部材２に連設される第２番目の浸透部材２が該第２番目の枠体４内に位置するように配設し、続いて、浸透シート５を前記土留め板３の上部に掛け渡して該土留め板３の内面及び外面のいずれか一方にずり動不能状態で配設し、続いて、前記土留め板３の内側に砂、砕石等の適宜な通水粒体６を配設するとともに外側を適宜埋め戻した後、前記第２番目の枠体４を前記浸透シート５を残して引き上げて前記第１番目の浸透部材２及び前記第２番目の浸透部材２を埋設することを特徴とする浸透部材の埋設方法に係るものである。
【００１２】
また、地面１を掘削して凹溝１ａを形成し、続いて、この凹溝１ａの底部に第１番目の浸透部材２を配設し、続いて、側面に土留め板３を有する第１番目の枠体４を前記第１番目の浸透部材２が該第１番目の枠体４内に位置するように配設し、続いて、浸透シート５を前記土留め板３の上部に掛け渡して該土留め板３の内面及び外面のいずれか一方にずり動不能状態で配設し、続いて、前記土留め板３の内側に砂、砕石等の適宜な通水粒体６を配設するとともに外側を適宜埋め戻した後、前記第１番目の枠体４を前記浸透シート５を残して引き上げ、続いて、側面に土留め板３を有する第２番目の枠体４を前記第１番目の浸透部材２に連設される第２番目の浸透部材２が該第２番目の枠体４内に位置するように配設し、続いて、浸透シート５を前記土留め板３の上部に掛け渡して該土留め板３の内面及び外面のいずれか一方にずり動不能状態で配設し、続いて、前記土留め板３の内側に砂、砕石等の適宜な通水粒体６を配設するとともに外側を適宜埋め戻した後、前記第２番目の枠体４を前記浸透シート５を残して引き上げ、・・・、続いて、側面に土留め板３を有する第ｎ番目の枠体４を第ｎ−１番目の浸透部材２に連設される第ｎ番目の浸透部材２が該第ｎ番目の枠体４内に位置するように配設し、続いて、浸透シート５を前記土留め板３の上部に掛け渡して該土留め板３の内面及び外面のいずれか一方にずり動不能状態で配設し、続いて、前記土留め板３の内側に砂、砕石等の適宜な通水粒体６を配設するとともに外側を適宜埋め戻した後、前記第ｎ番目の枠体４を前記浸透シート５を残して引き上げて前記第１番目の浸透部材２，前記第２番目の浸透部材２，・・・，前記第ｎ−１番目の浸透部材２及び前記第ｎ番目の浸透部材２を埋設することを特徴とする浸透部材の埋設方法に係るものである。
【００１３】
また、地面１を掘削して凹溝１ａを形成し、続いて、この凹溝１ａの底部に浸透シート５を該浸透シート５の上端部が前記凹溝１ａの上方に位置する状態で配設し、続いて、この凹溝１ａの底部にして前記浸透シート５上に砂、砕石等の適宜な通水粒体６を配設し、続いて、この通水粒体６上に第１番目の浸透部材２を配設し、続いて、側面に土留め板３を有する第１番目の枠体４を前記第１番目の浸透部材２が該第１番目の枠体４内に位置するように配設し、続いて、前記浸透シート５の上端部を前記土留め板３の上部に係止させることで該浸透シート５を前記第１番目の枠体４の外面にずり動不能状態で配設し、続いて、前記第１番目の枠体４の内側に砂、砕石等の適宜な通水粒体６を配設するとともに前記第１番目の枠体４の外側を適宜埋め戻し、続いて、前記浸透シート５を外方に開いて前記枠体４を引き上げ、続いて、側面に土留め板３を有する第２番目の枠体４を前記第１番目の浸透部材２に連設される第２番目の浸透部材２が該第２番目の枠体４内に位置するように配設し、続いて、前記浸透シート５の上端部を前記土留め板３の上部に係止させることで該浸透シート５を前記第２番目の枠体４の外面にずり動不能状態で配設し、続いて、前記第２番目の枠体４の内側に砂、砕石等の適宜な通水粒体６を配設するとともに前記第２番目の枠体４の外側を適宜埋め戻し、続いて、前記浸透シート５を外方に開いて前記第２番目の枠体４を引き上げて前記第１番目の浸透部材２及び前記第２番目の浸透部材２を埋設することを特徴とする浸透部材の埋設方法に係るものである。
【００１４】
また、地面１を掘削して凹溝１ａを形成し、続いて、この凹溝１ａの底部に浸透シート５を該浸透シート５の上端部が前記凹溝１ａの上方に位置する状態で配設し、続いて、この凹溝１ａの底部にして前記浸透シート５上に砂、砕石等の適宜な通水粒体６を配設し、続いて、この通水粒体６上に第１番目の浸透部材２を配設し、続いて、側面に土留め板３を有する第１番目の枠体４を前記第１番目の浸透部材２が該第１番目の枠体４内に位置するように配設し、続いて、前記浸透シート５の上端部を前記土留め板３の上部に係止させることで該浸透シート５を前記第１番目の枠体４の外面にずり動不能状態で配設し、続いて、前記第１番目の枠体４の内側に砂、砕石等の適宜な通水粒体６を配設するとともに前記第１番目の枠体４の外側を適宜埋め戻し、続いて、前記浸透シート５を外方に開いて前記枠体４を引き上げ、続いて、側面に土留め板３を有する第２番目の枠体４を前記第１番目の浸透部材２に連設される第２番目の浸透部材２が該第２番目の枠体４内に位置するように配設し、続いて、前記浸透シート５の上端部を前記土留め板３の上部に係止させることで該浸透シート５を前記第２番目の枠体４の外面にずり動不能状態で配設し、続いて、前記第２番目の枠体４の内側に砂、砕石等の適宜な通水粒体６を配設するとともに前記第２番目の枠体４の外側を適宜埋め戻し、続いて、前記浸透シート５を外方に開いて前記第２番目の枠体４を引き上げて、・・・、続いて、側面に土留め板３を有する第ｎ番目の枠体４を第ｎ−１番目の浸透部材２に連設される第ｎ番目の浸透部材２が該第ｎ番目の枠体４内に位置するように配設し、続いて、浸透シート５の上端部を前記土留め板３の上部に係止させることで該浸透シート５を前記第ｎ番目の枠体４の外面にずり動不能状態で配設し、続いて、前記第ｎ番目の枠体４の内側に砂、砕石等の適宜な通水粒体６を配設するとともに前記第ｎ番目の枠体４の外側を適宜埋め戻し、続いて、前記浸透シート５を外方に開いて前記第ｎ番目の枠体４を引き上げて前記第１番目の浸透部材２，前記第２番目の浸透部材２，・・・，前記第ｎ−１番目の浸透部材２及び前記第ｎ番目の浸透部材２を埋設することを特徴とする浸透部材の埋設方法に係るものである。
【００１５】
【発明の作用及び効果】
本発明は、地面１を掘削して凹溝１ａを形成し、続いて、この凹溝１ａの底部に第１番目の浸透部材２を配設し、続いて、側面に土留め板３を有する第1番目の枠体４を前記第1番目の浸透部材２が該第1番目の枠体４内に位置するように配設し、続いて、浸透シート５を前記土留め板３の内面及び外面のいずれか一方にずり動不能状態で配設し、続いて、前記土留め板３の内側に砂、砕石等の適宜な通水粒体６を配設するとともに外側を適宜埋め戻した後、前記第1番目の枠体４を前記浸透シート５を残して引き上げ、続いて、側面に土留め板３を有する第２番目の枠体４を前記第１番目の浸透部材２に連設される第２番目の浸透部材２が該第２番目の枠体４内に位置するように配設し、続いて、浸透シート５を前記土留め板３の内面及び外面のいずれか一方にずり動不能状態で配設し、続いて、前記土留め板３の内側に砂、砕石等の適宜な通水粒部６を配設するとともに外側を適宜埋め戻した後、前記第２番目の枠体４を前記浸透シート５を残して引き上げて前記第１番目の浸透部材２及び前記第２番目の浸透部材２を埋設するものである。
【００１６】
よって、本発明によれば、浸透シート５が枠体４に係る土留め板３の内面及び外面のいずれか一方にずり動不能状態であるから、埋め戻し時に浸透シート５がずれ落ちたりすることが可及的に防止されるなどその取り扱いが非常に簡易になり、しかも、枠体４の存在により浸透部材２の周囲に確実に通水粒体６を配設でき、従って、確実な浸透機能を発揮させることができ、更に、この浸透シート５により通水粒体６の散逸が防止できるから、継続使用によっても浸透機能の低下が防止でき、また、枠体４を移動させて順次施工するから、浸透部材２の長距離埋設が簡易且つ迅速に行えることになるなど極めて画期的な浸透部材の埋設方法となる。
【００１７】
【発明の実施の形態】
図１〜７は本発明の第一実施例、図８は第二実施例を図示したものであり、以下に説明する。
【００１８】
第一実施例について説明する。
【００１９】
第一実施例で使用される枠体４は、図１に図示したように鋼製のフレーム部材７と土留め板３とからなる一対の側面体８，９を設け、この側面体８，９同志を該側面体８の上部間に架設される鋼製の架設部材10で連結して構成され、この枠体４は、凹溝１ａに配設される浸透管や浸透側溝などの長尺の浸透部材２の上方に被嵌し得るように構成されている。
【００２０】
また、枠体４は、その左右の側面体８，９の上部所定位置に吊り上げ部11が設けられている。これは、クレーンなどの重機で枠体４を吊り上げて移動可能とするためのものである。
【００２１】
また、枠体４は、その左右の側面体８，９を構成するフレーム部材７の下端部にピン部材12を突出状態に設けている。このピン部材12は、枠体４を施工面に載置した際、該施工面に突き刺さり枠体４のずり動を防止し得るように構成されている。
【００２２】
尚、枠体４には、浸透シート５を引っ掛け係止するなど、浸透シート５をずり動不能状態とするための構造を適宜設けても良い。
【００２３】
本実施例では、浸透シート５として、適宜な浸透性を備えた公知の短繊維不織布が使用され、適宜な通水粒体６として、所定径を有する砂や砕石が使用される。
【００２４】
以上の構成からなる本実施例に係る浸透部材２の埋設方法について説明する（尚、本実施例では、図２に図示したように二つの枠体４を同時に使用するようにして浸透部材２としての浸透管（多孔質構造の市販の浸透管，ポーラスコンクリート管）を二本同時に埋設している。）。
【００２５】
地面１を掘削して凹溝１ａを形成し、続いて、この凹溝１ａに浸透シート５を配設し、続いて、この浸透シート５の底部に所定量の通水粒体６を配設し、続いて、この通水粒体６の上部に浸透管２を配設し（図３参照）、続いて、浸透管２の上方に枠体４を被嵌させ、続いて、この枠体４の上部に浸透シート５を掛け渡して該土留め板３の外面に擦り動不能状態で配設せしめ（図４参照）、続いて、土留め板３の外側を発生材13（掘削土）で埋め戻して該発生材13の上面に浸透シート５を外方に開いて配設し（図５参照）、続いて、土留め板３の内側を通水粒体６で埋め戻し（図６参照）、続いて、枠体４を引き上げる（図７参照）。その後、下流側の浸透管２に前記同様枠体４を被嵌して、以下前記同様にして浸透管２を埋設することになる。
【００２６】
尚、本実施例では、一枚の浸透シート５を浸透管２の周囲（底部及び側部）に配設する構成としたが、図４におけるａ若しくはｂの位置において分断された２枚構成の浸透シート５を採用するなど本実施例の特性を発揮する構成であれば適宜採用するものである。
【００２７】
本実施例は上述のように構成したから、浸透シート５を枠体４に係る土留め板３の上部に掛けて該土留め板３の外面にずり動不能状態で配設せしめながら埋め戻し作業が行えることになるから、埋め戻し時に浸透シート５がずれ落ちたりすることが可及的に防止されるなどその取り扱いが非常に簡易になり、しかも、枠体４の存在により浸透部材２の周囲に確実に通水粒体６を配設でき、従って、確実な浸透機能を発揮させることができ、更に、この浸透シート５により通水粒体６の散逸が防止できるから、継続使用によっても浸透機能の低下が防止でき、また、枠体４を移動させて順次施工するから、浸透部材２の長距離埋設が簡易且つ迅速に行えることになり、ひいては施工の効率化により経済性も向上することなり、更に、凹溝１ａ内に作業者が入る必要がないから安全性にも秀れることになる。
【００２８】
また、本実施例は、少なくとも土留め板３の内側に所定径の通水粒体６を埋め戻すから浸透部材２の周囲に良好な浸透機能を付与することができることになる。
【００２９】
また、本実施例は、枠体４として適宜な金属製の枠体４を採用したから、クレーンなどの重機で吊り上げても破損しにくいなど極めて耐久性に秀れることになる。
【００３０】
次に、第二実施例について説明する。
【００３１】
第二実施例は、図８に図示したように浸透部材２としての浸透機能を備えたＵ字溝ブロックを埋設した場合であり、浸透シート５をＵ字溝ブロック２の側方にのみ配設している。
【００３２】
その余は第一実施例と同様である。
【図面の簡単な説明】
【図１】  第一実施例に係る枠体を示す斜視図である。
【図２】  第一実施例に係る浸透部材の埋設方法を示す斜視図である。
【図３】  第一実施例の工程説明断面図である。
【図４】  第一実施例の工程説明断面図である。
【図５】  第一実施例の工程説明断面図である。
【図６】  第一実施例の工程説明断面図である。
【図７】  第一実施例の工程説明断面図である。
【図８】  第二実施例の説明断面図である。
【符号の説明】
１  地面
１ａ  凹溝
２  浸透部材
３  土留め板
４  枠体
５  浸透シート
６  通水粒体
【図１】
0004330773.tif 000002
【図２】
0004330773.tif 000003
【図３】
0004330773.tif 000004
【図４】
0004330773.tif 000005
【図５】
0004330773.tif 000006
【図６】
0004330773.tif 000007
【図７】
0004330773.tif 000008
【図８】
0004330773.tif 000009